(57)【要約】      （修正有）【課題】先端部の焼損がないために定期的交換の必要がなく、経済的なオイル芯を提供する。【解決手段】金属製パイプ１内に芯材２として、金属繊維の撚り線を挿入する。好ましくは、パイプ１はステンレス製パイプとし、金属繊維としてはステンレス繊維を用いる。芯材２の先端部はパイプ１の先端から突出させるが（例えば、オイルランプ用オイル芯の場合で１〜１０ｍｍ）、下端部は必ずしも突出させる必要はない。パイプ１の側面に孔を形成し、この孔に固定ピンを差し込み、固定ピンの先端を芯材２に食い込ませて抜け止めとする。また、パイプ１の側面にねじ孔を設け、これに止めネジをねじ込み、その先端で芯材２を押圧させる方法であってもよい。【選択図】図１
0003149849.tif 000002
【実用新案登録請求の範囲】
【請求項１】
金属製パイプ内に芯材として、金属繊維の撚り線を挿入したことを特徴とするオイル芯。
【請求項２】
前記金属繊維はステンレス繊維である、請求項１に記載のオイル芯。
【請求項３】
前記金属パイプからの前記芯材の抜け止め手段を設けた、請求項１に記載のオイル芯。
【請求項４】
前記抜け止め手段は、前記金属パイプの側面に形成される孔と、該孔に差し込まれる固定ピンである、請求項３に記載のオイル芯。
【請求項５】
前記抜け止め手段は、前記金属パイプの側面に形成されるねじ孔と、該ねじ孔にねじ込まれる止めネジである、請求項３に記載のオイル芯。
【請求項６】
前記抜け止め手段は、前記金属パイプの端部に形成されるスリットと、該スリット形成部に螺設されるオネジ部と、該オネジ部にねじ付けられるナット部材とから成る、請求項３に記載のオイル芯。
【請求項７】
前記金属パイプの下部に錘を設けた、請求項1に記載のオイル芯。
【考案の詳細な説明】
【技術分野】
【０００１】
本考案は、オイル芯、より詳細には、一般家庭あるいはレストラン、バー等において、照明効果や癒し効果を得るために使用されるオイルランプ類、あるいは、ストーブ等の暖房器具等において用いられる、オイルを吸い上げて燃焼させるためのオイル芯に関するものである。
【背景技術】
【０００２】
一般家庭、あるいは、レストラン、バー等において、照明効果や癒し効果を得るためにオイルランプが用いられる。このオイルランプは、基本的には、オイルを溜める容器と、下部が容器内のオイルに浸るようにして容器に装入されるオイル芯とから成る。このオイル芯としては一般に、天然繊維やガラス繊維の紐状芯が用いられる。
【０００３】
このように従来のオイル芯としては、一般に天然繊維やガラス繊維の紐状芯が用いられているが、これらの紐状芯の場合、先端の燃焼部が少しずつ焼損するため、定期的に交換することが必要となる。ストーブ等の暖房器具等において用いられるオイル芯についても同様のことが言える。
【先行技術文献】
【特許文献】
【０００４】
【特許文献１】特開２００２−１０９９２１号公報
【特許文献２】特開２００２−１０９９５４号公報
【特許文献３】実用新案登録第３０６８２３０号公報
【特許文献４】実用新案登録第３０９３４６３号公報
【考案の概要】
【考案が解決しようとする課題】
【０００５】
上述したように、従来のオイル芯の場合は、先端の燃焼部が少しずつ焼損するため、定期的に交換しなければならないという煩わしさがあった。そこで本考案は、先端部の焼損がないために定期的交換の必要がなく、経済的なオイル芯を提供することを課題とする。
【課題を解決するための手段】
【０００６】
上記課題を解決するための請求項１に記載の考案は、金属製パイプ内に芯材として、金属繊維の撚り線を挿入したことを特徴とするオイル芯である。
【０００７】
好ましい実施形態においては、前記金属繊維はステンレス繊維とされ、また、前記金属パイプからの前記芯材の抜け止め手段を設けたものとされる。
【０００８】
前記抜け止め手段としては、前記金属パイプの側面に形成される孔と該孔に差し込まれるピンとで構成されるもの、あるいは、前記金属パイプの側面に形成されるねじ孔と該ねじ孔にねじ込まれる止めネジで構成されるものが考えられる。また、前記抜け止め手段として、前記金属パイプの端部に形成されるスリットと、該スリット形成部に螺設されるオネジ部と、該オネジ部にねじ付けられるナット部材とから成る構成を採用することもできる。
【０００９】
また、前記芯材を安定に保持するために、前記金属パイプの下部に錘を設けることもある。前記抜け止め手段が、金属パイプの端部に形成されるスリットと、該スリット形成部に螺設されるオネジ部と、該オネジ部にねじ付けられるナット部材とで構成される実施形態においては、前記ナット部材を錘とすることができる。
【考案の効果】
【００１０】
本考案は上述したとおりであって、本考案に係るオイル芯は、金属製パイプ内に芯材として金属繊維の撚り線を挿入して成り、殊に、好ましい実施形態においては、前記金属繊維がステンレス繊維とされるため、オイルの燃焼に伴って芯材が焼損するおそれがなく、長期的に使用可能で経済的なる効果がある。
【００１１】
また、請求項３乃至６に係る考案においては、芯材がパイプに確固と固定状態に保持されるために、抜け落ちるおそれがないという効果があり、更に、請求項７に係る考案においては、パイプ下端部の錘によって、パイプ、換言すれば芯材が、安定状態に保持されるという効果がある。
【図面の簡単な説明】
【００１２】
【図１】本考案に係るオイル芯の構成及び使用状態例を示す縦断面図である。
【図２】本考案に係るオイル芯における芯材の抜け止め手段の構成例を示す図である。
【図３】本考案に係るオイル芯における芯材の抜け止め手段の他の構成例を示す図である。
【図４】本考案に係るオイル芯の他の構成及び使用状態例を示す縦断面図である。
【考案を実施するための形態】
【００１３】
以下に、本考案を実施するための形態について、図面に依拠して説明する。本考案に係るオイル芯は、金属製パイプ１内に芯材２として、金属繊維の撚り線を挿入して成る。好ましくは、パイプ１はステンレス製パイプとし、金属繊維としてはステンレス繊維を用いる。
【００１４】
通例、芯材２の先端部はパイプ１の先端から突出させるが（例えば、オイルランプ用オイル芯の場合で１〜１０ｍｍ）、下端部は必ずしも突出させる必要はない。また、パイプ１及び芯材２の径は任意であり、オイルランプ等のサイズや用途に合わせて設計されることになる。
【００１５】
好ましい実施形態においては、パイプ１からの芯材２の抜け止め手段が設けられる。即ち、芯材２の外径はパイプ１の内径よりも小であり、芯材２は、パイプ１に対して単に差し込むだけであるために、抜けたりずれ動いたりするおそれがある。そこで、芯材２の抜けやずれ動きを防止して、パイプ１内に安定状態に保持することを可能にするために、抜け止め手段を設けることが好ましいのである。
【００１６】
この抜け止め手段としては、パイプ１の側面に孔３を形成し、この孔３に固定ピン４を差し込み、固定ピン４の先端を芯材２に食い込ませる方法が考えられる（図２（Ａ）参照）。また、パイプ１の側面にねじ孔５を設け、これに止めネジ６をねじ込み、その先端で芯材２を押圧させる方法であってもよい（図２（Ｂ）参照）。
【００１７】
更に、パイプ１の下端部にスリット７を設け、該スリット形成部の外周面にオネジ部８を螺設し、このオネジ部８に、テーパ状のメネジを形成したナット部材９をねじ付ける構成とすることもできる（図３参照）。この場合、ナット部材９をねじ上げるにつれ、オネジ部８が内側に寄せられて芯材２を締め付けるので、芯材２の抜けが防止される。
【００１８】
なお、単に、下端部を解した芯材２をその上端からパイプ１内に挿入するだけでも、解された金属繊維のパイプ１内面に対する摩擦抵抗が働くため、ある程度の抜け止め効果がある。
【００１９】
このオイル芯は、例えば、ランプ容器１５上面のオイル注入口１６から垂直方向に差し込み、下部をオイル１７中に浸して使用されるが、その際オイル芯を安定に保持するために、パイプ１の下部に錘１０を設けることもある。上記抜け止め手段としてナット部材９を用いる実施形態においては、ナット部材９を以て錘１０を兼ねさせることができる（図４参照）。
【００２０】
更に必要に応じ、パイプ１の上部に、ランプ容器１５のオイル注入口１６に合致するサイズの口金１１を取り付ける。その場合オイル芯は、垂直状態に確固と保持されることとなる（図４参照）。なお、ランプ容器１５の形状は任意で、図示したものに限られないことは言うまでもない。
【００２１】
本考案にかかるオイル芯は、一般のものと同様にランプ容器１５に差し込んで用いられ、その下部がオイル１７内に浸される。オイル１７は、毛細管現象により、密に撚られて絡み合う金属繊維群に吸い上げられ、芯材２の先端にまで上昇し、気化して燃焼する。その際、金属繊維の撚り線で構成される芯材２は、燃焼しないために減耗することがないので、焼損による交換の必要はない。ストーブ等の暖房器具等に用いる場合においても、同様の効果が得られる。
【００２２】
この考案をある程度詳細にその最も好ましい実施形態について説明してきたが、この考案の精神と範囲に反することなしに広範に異なる実施形態を構成することができることは明白なので、この考案は添付請求の範囲において限定した以外はその特定の実施形態に制約されるものではない。
【符号の説明】
【００２３】
１      パイプ
２      芯材
３      孔
４      固定ピン
５      ねじ孔
６      止めネジ
７      スリット
８      オネジ部
９      ナット部材
１０    錘
１１    口金
１５    オイル容器
１６    オイル注入口
１７    オイル
【図１】
0003149849.tif 000003
【図２】
0003149849.tif 000004
【図３】
0003149849.tif 000005
【図４】
0003149849.tif 000006